(57)【要約】      （修正有）【課題】単体リボンを編み合わせることにより連続した紋様が形成され、装飾効果に優れた紙製装飾リボンを提供する。【解決手段】長さ方向に関して一定形状の係合部２が繰り返しパターンとして形成された紙製単体リボン１を複数本用い、各単体リボン１の係合部２どうしを互いに係合させて絡ませることにより編み合わせてなる。【選択図】図２
0003175695.tif 000002
【実用新案登録請求の範囲】
【請求項１】
長さ方向に関して一定形状の係合部が繰り返しパターンとして形成された紙製単体リボンを複数本用い、各単体リボンの係合部どうしを互いに係合させて絡ませることにより編み合わせてなることを特徴とする紙製装飾リボン。
【請求項２】
前記装飾リボンは、ギフト品などのパッケージの装飾具として用いられることを特徴とする請求項１記載の紙製装飾リボン。
【請求項３】
前記装飾リボンは、髪飾りやネックレスなどの装身具として用いられることを特徴とする請求項１記載の紙製装飾リボン。
【請求項４】
長さ方向に関して一定形状の係合部が繰り返しパターンとして形成されてなることを特徴とする、請求項１記載の紙製装飾リボンに用いるための紙製単体リボン。
【考案の詳細な説明】
【技術分野】
【０００１】
この考案は、紙製装飾リボン及びそれに用いる紙製単体リボンに関し、さらに詳細には、ギフト品などのパッケージの装飾具や、髪飾りやネックレスなどの装身具として利用することができるリボンに関する。
【背景技術】
【０００２】
紙製リボンは、ギフト品などのパッケージを装飾するものとして広く用いられている。従来知られている紙製リボンは、それ自体は単に一定の幅をもった帯状のテープにすぎず、単独ではあまり装飾効果を期待できない。このため、付加的にラベルを取り付けたり、結束部の形状に趣向を凝らしたり、あるいはリボンにカールを付けたりして装飾効果を醸し出すようにしている（例えば特許文献１参照）。
【０００３】
また、例えば、パーティなどにおいて、紙製リボンをブレスレットやネックレスなどの装身具に代用することもできなくはない。しかし、上述のように紙製リボンは単なる帯状のテープなので、装飾効果は期待できない。
【先行技術文献】
【特許文献】
【０００４】
【特許文献１】実用新案登録第３１５８５０４号公報
【考案の概要】
【考案が解決しようとする課題】
【０００５】
この考案は上記のような技術的背景に基づいてなされたものであって、次の目的を達成するものである。
この考案の目的は、単体リボンを編み合わせることにより連続した紋様が形成され、装飾効果に優れた紙製装飾リボンを提供することにある。
【課題を解決するための手段】
【０００６】
この考案は上記課題を達成するために、次のような手段を採用している。
すなわち、この考案は、長さ方向に関して一定形状の係合部が繰り返しパターンとして形成された紙製単体リボンを複数本用い、各単体リボンの係合部どうしを互いに係合させて絡ませることにより編み合わせてなることを特徴とする紙製装飾リボンにある。
【０００７】
前記装飾リボンは、例えば、ギフト品などのパッケージの装飾具、あるいは髪飾りやネックレスなどの装身具として用いられる。
【０００８】
また、この考案は、上記装飾リボンに用いるための単体リボンであって、長さ方向に関して一定形状の係合部が繰り返しパターンとして形成されてなることを特徴とする、紙製単体リボンにある。
【考案の効果】
【０００９】
この考案によれば、紙製装飾リボンは、長さ方向に関して一定形状の係合部が繰り返しパターンとして形成された複数本の紙製単体リボンを、係合部どうしを互いに係合させて絡ませることにより編み合わせてなるものであるので、長さ方向に連続した紋様を持つリボンとなり、見る者に美観を与えることができ、装飾効果に優れたものとすることができる。また、単体リボンの編み合わせは、手芸的な楽しみを与えてくれる。
【図面の簡単な説明】
【００１０】
【図１】単体リボンのパターン例を示す平面図である。
【図２】単体リボンを編み合わせることによって得られた装飾リボンを例示する平面図である。
【図３】装飾リボンの編み方を示す図である。
【図４】装飾リボンをループ状にする場合の端部の留め方を示す図である。
【図５】装飾リボンの使用例を示す図である。
【考案を実施するための形態】
【００１１】
この考案の実施形態を図面を参照しながら以下に説明する。図１は、この考案の装飾リボンに用いる単体リボンを示している。単体リボン１は、材料は紙製のものであり、長さ方向に関して一定形状の係合部２が繰り返しパターンとして形成されている。
【００１２】
係合部２は、例えば山形あるいは波形の形状とすることができる。（ａ）に示す係合部２（２ａ，２ｂ）は山形形状のものであり、長さ方向の寸法が短い山形の係合部２ａと、長さ方向の寸法が長い山形の係合部２ｂが交互に繰り返すパターンとしてある。
【００１３】
（ｂ）に示す係合部２（２ａ，２ｂ）は、波形形状のものであり、長さ方向の寸法が短い波形の係合部２ａと、長さ方向の寸法が長い波形の係合部２ｂが交互に繰り返すパターンとしてある。
【００１４】
（ｃ）に示す係合部２は、スケールアップした山形形状のものであり、長さ方向の寸法が等しい山形の係合部２が繰り返すパターンとしてある。（ｄ）に示す係合部２は、スケールアップした波形形状のものであり、長さ方向の寸法が等しい波形の係合部２が繰り返すパターンとしてある。これら（ｃ），（ｄ）に示す係合部２も、（ａ），（ｂ）に示した係合部２と同様に、長さ方向の寸法が異なる２つの係合部が交互に繰り返すパターンとしてもよい。
【００１５】
繰り返しパターンとしての係合部２をもつ単体リボン１は、レーザーカット加工等により、長尺紙を型抜きして容易に得ることができる。この単体リボン１は、リールなどに巻き取った状態で店頭販売される。
【００１６】
図１（ａ）〜（ｄ）に例示した単体リボン１を複数本用い、各単体リボン１の係合部２どうしを係合させて絡ませることにより、編み合わせて図２に示すような装飾リボン３が得られる。単体リボン１は一般には、同種のもの２本を１組とし、単数組あるいは複数組が編み合わせに用いられる。
【００１７】
（Ａ）に示す装飾リボン３は、図１（ａ）に示した単体リボン１を２本用いて編み合わせたものである。（Ｂ）に示す装飾リボン３は、図１（ｂ）に示した単体リボン１を２本用いて編み合わせたものである。（Ｃ）に示す装飾リボンは、図１（ｂ），（ｃ）に示した単体リボン１をそれぞれ２本ずつ用いて編み合わせたものである。編み合わせによって形成された装飾リボン３は、長さ方向に連続した紋様を持つリボンとなり、見る者に美観を与える。すなわち、装飾効果を得ることができる。
【００１８】
図３は、編み方の手順を示している。（ａ）に示すように、図示しないリールから必要長さだけ繰り出して切断した単体リボン１を２本用意する。これら２本の単体リボン１の端部を粘着テープ４などでテーブル等の台座に固定する。そして、２本の単体リボン１，１をそれぞれ左右の手で持つ。
【００１９】
次に、（ｂ）に示すように、片方の手（図では右手）を上にして、両手を交差させる。これにより、２本の単体リボン１の係合部２どうしが互いに係合する。次に、（ｃ）に示すように、単体リボン１，１を持つ左右の手を持ち替える。（ｂ），（ｃ）を繰り返すことにより、図２に示したような装飾リボン３が形成される。
【００２０】
できあがった装飾リボン３は、これをリールに巻き取って店頭販売することもできるが、前述のように単体リボン１を店頭販売することにより、購買者は好みの単体リボン１を選択し、自分で編み上げることにより、手芸の楽しみを味わうことができる。
【００２１】
装飾リボン３は、多くの場合はループ状にして使用される。図４は、ループ状にする際の端部どうしの留め方を示している。まず、（ａ）に示すように、両端部の絡み合っている単体リボン１を適宜長さだけ軽く解きほぐす。次に、（ｂ）に示すように各端部の単体リボンを１本選択して、これら単体リボン１，１どうしを編み合わせる。次に、（ｃ），（ｄ）に示すように、各端部の残りの単体リボン１，１を先に編み合わせた繋ぎ部分に絡めるようにする。これによって、端部どうしを簡単に固定することができる。
【００２２】
なお、装飾リボン３を取り付けた物（あるいは人）の動きによって、繋ぎ部分がほつれるのが気になる場合は、（ｅ）に示すように、透明の粘着テープ５を繋ぎ部分に巻いて固定するようにしてもよい。装飾リボン３を装身具として使用する場合、使用する粘着テープ５は医療用の透明絆創膏のように、肌に刺激を与えないものがよい。
【００２３】
図５は、装飾リボン３の使用例を示している。（ａ）は、装飾リボン３をギフト品などのパッケージに巻き付け、装飾具とした例である。（ｂ），（ｃ）は装飾リボン３を装身具とした例であり、それぞれ髪飾り及びネックレスを示している。その他、この考案による装飾リボンは、種々の装飾用途に使用することができる。
【符号の説明】
【００２４】
１      紙製単体リボン
２（２ａ，２ｂ）      係合部
３      装飾リボン
【図１】
0003175695.tif 000003
【図２】
0003175695.tif 000004
【図３】
0003175695.tif 000005
【図４】
0003175695.tif 000006
【図５】
0003175695.tif 000007